(57)【要約】【課題】快適性向上のために室内空気を循環させるダクトの設置、並びに冷媒配管の接続を屋外のみで実行することができ、かつ、良好な外観を保つことのできる空気調和機を提供する。【解決手段】室内ユニット１及び室外ユニット２が冷媒配管５により接続される空気調和機において、室内２１の上部壁に空気を室内側に吹き出す空気吹出口１２を設け、空気吹出口１２の下方における室内の下部壁に室内空気を室外側に吸い込む空気吸込口７を設けると共に、室内ユニット１の背面を外側にして空気吹出し側の正面が空気吹出口１２の室外側の壁面に取り付けられ、空気吸込口７と室内ユニット１の空気取入れ口とを連通させるダクト６を室外に設け、ダクト６内に室内ユニット１と室外ユニット４とを接続する冷媒配管５を収納したことを特徴としている。【選択図】  図１
2004278996.tif 000002
【特許請求の範囲】
【請求項１】
室内ユニットと室外室外ユニットとに分離され、前記室内ユニット及び室外ユニットが冷媒配管により接続される空気調和機において、
室内の上部壁に空気を室内側に吹き出す空気吹出口を設け、前記空気吹出口の下方における室内の下部壁に室内空気を室外側に吸い込む空気吸込口を設けると共に、前記室内ユニットの背面を外側にして空気吹出し側の正面が前記空気吹出口の室外側の壁面に取り付けられ、前記空気吸込口と前記室内ユニットの空気取入れ口とを連通させるダクトを室外に設け、前記ダクト内に前記室内ユニットと室外ユニットとを接続する冷媒配管を収納した、
ことを特徴とする空気調和機。
【請求項２】
前記室内ユニットは、その背面側に取外し可能に装着され、かつ、取外すことによって前記室内ユニットの内部機器の点検を可能にする室外側背面板を備えたことを特徴とする請求項１に記載の空気調和機。
【請求項３】
前記室内ユニットは、その背面側に取外し可能に装着され、かつ、取外すことによって前記室内ユニットの内部に追加オプション機器の取付を可能にする室外側背面板を備えたことを特徴とする請求項１に記載の空気調和機。
【発明の詳細な説明】
【０００１】
【発明の属する技術分野】
本発明は、室内ユニットと室外ユニットとが冷媒配管により接続される分離形の空気調和機に係り、特に、室内温度を均一化するためにダクトを介して室内空気を循環させる空気循環系及び室内ユニットの取付位置の改良に関する。
【０００２】
【従来の技術】
室内温度を均一化するために室内空気を強制的に循環させる空気調和機としては、床面付近の最下部に空気吸い込み口を有し、上端に接続口が形成されたダクトを設け、このダクトの接続口を室内ユニットの空気取り入れ部に接続するものが開示されている（例えば、特許文献１参照。）。
【０００３】
周知の如く、室内ユニットは室内熱交換器及び送風ファンを備え、この送風ファンを運転することにより空気取り入れ部より室内空気が室内ユニット内に吸い込まれ、室内熱交換器を経由して空気吹き出し口から室内に向けて放出される。
上記従来の空気調和機において、室内ユニットの空気取り入れ部にダクトを接続して空気調和機を運転すると、床面に近い冷たい空気がダクト最下部の空気吸い込み口から吸い込まれ、ダクト及び接続口を通って室内ユニットの空気取り入れ部に導かれる。
【０００４】
この空気は、室内熱交換器にて熱交換された後、例えば、室内ユニットの前面下部に設けられている空気吹き出し口から放出される。これにより、暖房運転の際には冷たい空気が加熱され、暖かい空気となって室内に放出され、送風運転の際には床面付近の冷たい空気が、天井近くの暖かい空気の中に混入される。冷房運転の際には、足元の冷たい空気を室内ユニット側に供給するので、冷えすぎという現象が解消され、足元ばかりが冷えるということがなくなる。
【０００５】
【特許文献１】
特開平７−２４８１２４号公報
【０００６】
【発明が解決しようとする課題】
上述した従来の空気調和機は、室内ユニットと、床面付近から空気を吸い込むダクトとがともに室内に設けられているため、これらが部屋のレイアウト上、邪魔になることがあった。また、空気調和機を設置するに当たり、室内においてダクトを取り付け、さらに、室外において室外ユニットから冷媒配管等を、壁を貫通させて室内ユニットに接続する工事も必要であった。
【０００７】
本発明は上記の事情を考慮してなされたもので、その目的は快適性向上のために室内空気を循環させるダクトの設置、並びに冷媒配管の接続を屋外のみで実行することができ、かつ、良好な外観を保つことのできる空気調和機を提供することにある。
【０００８】
本発明の他の目的は、保守員が室内に入らなくとも室内ユニットの内部機器の点検や追加オプション機器の取付を可能にする空気調和機を提供することにある。
【０００９】
【課題を解決するための手段】
請求項１に係る発明は、室内ユニットと室外室外ユニットとに分離され、室内ユニット及び室外ユニットが冷媒配管により接続される空気調和機において、
室内の上部壁に空気を室内側に吹き出す空気吹出口を設け、空気吹出口の下方における室内の下部壁に室内空気を室外側に吸い込む空気吸込口を設けると共に、室内ユニットの背面を外側にして空気吹出し側の正面が空気吹出口の室外側の壁面に取り付けられ、空気吸込口と室内ユニットの空気取入れ口とを連通させるダクトを室外に設け、ダクト内に室内ユニットと室外ユニットとを接続する冷媒配管を収納したことを特徴とする。
【００１０】
請求項２に係る発明は、請求項１に記載の空気調和機において、室内ユニットは、その背面側に取外し可能に装着され、かつ、取外すことによって室内ユニットの内部機器の点検を可能にする室外側背面板を備えたことを特徴とする。
【００１１】
請求項３に係る発明は、請求項１に記載の空気調和機において、室内ユニットは、その背面側に取外し可能に装着され、かつ、取外すことによって室内ユニットの内部に追加オプション機器の取付を可能にする室外側背面板を備えたことを特徴とする。
【００１２】
【発明の実施の形態】
以下、本発明を図面に示す好適な実施形態に基づいて詳細に説明する。図１は本発明に係る空気調和機の一実施形態の概略構成を、家屋と併せて示した縦断面図である。同図において、家屋２０の室内２１を空調対象として空気調和機を設置する側の壁２２の上部に空気を室内側に吹き出す空気吹出し口１２が設けられ、この空気吹出し口１２の下方における床に近い壁２２に室内空気を室外側に吸い込む空気吸込み口７が設けられている。さらに、室内ユニット１の背面を外側にして空気吹出し側の正面が空気吹出し口１２の室外側の壁面に取り付けられ、空気吸込み口７と室内ユニット１の空気取入れ口とを連通させるダクト６が室外に設けられ、このダクト６内に室内ユニット１と室外ユニット４とを接続する冷媒配管５が収納されている。そして、室内ユニット１は、その背面側に取外し可能に装着され、かつ、取外すことによって室内ユニット１の内部機器を点検したり、追加オプション機器を取付けたりする室外側背面板１３を備えている。ここで、空気調和機は空気吹出し口１２から室内２１に熱交換された空気や、送風運転用の空気等を吹き出すと共に、空気吸込み口７及びダクト６を通して室内空気を吸い込むことにより、室内２１に矢印Ａに示すよう循環気流を起こさせるように構成されている。
【００１３】
図２は壁２２の外側面に取付けられる室内ユニット１及びダクト６の詳細な内部構成を示す縦断面図である。このうち、室内ユニット１は室内２１を外部と隔てる壁２２の外側に取り付けられている。室内２１の上部の壁２２に、空気を室内側に吹き出す空気吹出し口１２が設けられ、この空気吹出し口１２の下方における室内下部の壁２２に、室内空気を室外側に吸い込む空気吸込み口７が設けられている。
【００１４】
室内ユニット１はその背面側、すなわち、室内２１を基準にして外側に室外側背面板１３を備え、正面側、すなわち、壁２２に当接する側に空気吹出し用の開口１８を備え、さらに、底部に新鮮空気取込み口８及び空気取入れ口１７を備えている。そして、この室内ユニット１には室内熱交換器２、室内送風機３、空気清浄フィルタ９、フィルタ１０、制御器１４、脱臭器１５及びドレインパン１６が収納されている。
【００１５】
ここで、室内ユニット１はその開口１８を空気吹出し口１２に合わせて取り付けられている。室外側背面板１３は背面部の殆どを覆う大きさを有し、筐体の本体に取り外し可能にねじ止めされている。これによって、室内ユニット１の内部機器の点検や追加オプション機器の取付を可能にしている。室内熱交換器２は室内ユニット１の上下方向中間部に、正面側が背面側よりも高くなるように斜めに装着されている。この室内熱交換器２より上方に室内送風機３が、その吐出口を開口１８に合わせて装着されている。室内送風機３は室内熱交換器２を経て熱交換された空気を開口１８及び空気吹出し口１２を通して室内２１に吹出す機能を有し、この空気の流路に加湿ユニット１１及び脱臭器１５が取り付けられている。室内熱交換器２の下方には、新鮮空気取込み口８や空気取入れ口１７から吸込んだ空気から粒の粗い塵埃を除去するフィルタ１０と、煙草の煙等の微粒子を除去する空気清浄フィルタ９と、冷房運転時に室内熱交換器２に生ずるドレイン水を集めて図示省略の配管から排出するドレインパン１６が取付けられている。
【００１６】
一方、上下方向に長く形成され、その下端が空気吸込み口７に接続され、上端が室内ユニット１の空気取入れ口１７に接続されたダクト６が壁２２の外側に固定されている。このダクト６の内部には、室内熱交換器２を室外ユニット４（図１参照）に接続する冷媒配管５が収納されると共に、前述したドレイン水を排水する排水管等が収納されている。
【００１７】
なお、室外ユニット４には図示を省略するが、圧縮機、運転モード切替えのための四方弁、室外熱交換器、その熱交換を促進する室外ファン、膨張弁等が収納されている。そして、室内ユニット１の室内熱交換器２と共に冷媒配管にて接続され、例えば、暖房運転モードでは、圧縮機→四方弁→室内熱交換器→膨張弁→室外熱交換器→四方弁→圧縮機の経路で冷媒を循環させる冷凍サイクルを形成する。
【００１８】
上記のように構成された本実施形態の動作について以下に説明する。暖房運転時及び冷房運転時には新鮮空気取込み口８は閉鎖される。この状態で空気調和機を運転すると、床面に近い冷たい空気がダクト最下部の空気吸込み口７から吸い込まれ、ダクト６及び空気取入れ口１７を通って室内ユニット１の内部に導かれる。そして空気中の塵埃がフィルタ１０で除去され、煙草の煙等の微粒子が空気清浄フィルタ９で除去される。続いて、室内熱交換器２で熱交換され、さらに、加湿ユニット１１による加湿、脱臭器１５による脱臭が行われ、室内送風機３に吸込まれると共に、開口１８、空気吹出し口１２を通して室内２１に吹出される。
【００１９】
これにより、暖房運転の際には冷たい空気が加熱され、暖かい空気となって室内２１に放出され、送風運転の際には床面付近の冷たい空気が、天井近くの暖かい空気の中に混入される。冷房運転の際には、足元の冷たい空気を室内ユニット側に供給するので、冷えすぎという現象が解消され、足元ばかりが冷えるということがなくなる。
【００２０】
一方、換気を行う際には、新鮮空気取込み口８が開放され、矢印Ｗで示したように、屋外の空気が室内ユニット１内に直接取り込まれて、室内２１に吹出される。外気温度が低いときには熱交換器の熱交換を停止して、室内送風機３のみを駆動するだけで冷房と同様な効果が得られる。
【００２１】
また、この実施形態においては、空気吸込み口７と空気取入れ口とを連通させるダクト６を室外に設け、ダクト６内に室内ユニット１と室外ユニット４とを接続する冷媒配管を収納したので、ダクトの設置及び冷媒配管の接続を屋外のみで作業するすることができ、また、良好な外観を保つことができる。
【００２２】
また、室内ユニット１はその背面側に取外し可能に装着される室外側背面板１３を備えているので、保守員が室内に入らなくとも室内ユニットの内部機器の点検や追加オプション機器の取付が可能になるという効果も得られる。
【００２３】
また、本実施形態における空気調和機の冷凍サイクルの冷媒として環境に配慮したＨＣ冷媒を使用した場合、冷媒が流通する冷凍サイクル機器のすべてが室外に配置されているため、万が一、ＨＣ冷媒が漏洩しても室内に流入する恐れが極めて低く、高い安全性を得ることができる。すなわち、一般的に冷媒の漏洩は、熱交換器の溶接部や室内外ユニットの配管接続部分において微小な隙間、亀裂からスローリークと一般的に呼ばれるゆっくりした漏洩をすることが多い。このような漏洩では長い時間をかけて冷凍サイクルから冷媒が流出する。従って、本実施形態の空気調和機では、運転中以外は室内側に空気を流すことがないため、漏洩冷媒のほとんどは、空気調和機の停止中に室内もしくは室外ユニットから大気へと流出、排出され、室内へ大量の冷媒が流出することはない。
【００２４】
【発明の効果】
以上の説明によって明らかなように、本発明によれば、快適性向上のために室内空気を循環させるダクトの設置、並びに冷媒配管の接続を屋外のみで実行するすることができ、かつ、良好な外観を保つことができる。
【図面の簡単な説明】
【図１】本発明に係る空気調和機の一実施形態の概略構成を、家屋と併せて示した縦断面図。
【図２】図１に示す実施形態中、壁の外側面に取付けられる室内ユニット及びダクトの詳細な内部構成を示す縦断面図。
【符号の説明】
１  室内ユニット
２  室内熱交換器
３  室内送風機
４  室外ユニット
５  冷媒配管
６  ダクト
７  空気吸込み口
８  新鮮空気取込み口
９  空気清浄フィルタ
１０  フィルタ
１２  空気吹出し口
１３  室外側背面板
１４  制御器
１７  空気取入れ口
１８  開口
２０  家屋
２１  室内
２２  壁
【図１】
2004278996.tif 000003
【図２】
2004278996.tif 000004